(57)【要約】【課題】簡単な作業で小窓を形成できると共に、ガラスをしっかりと安定して取付けできる小窓付きドアとする。【解決手段】ドア本体１の小窓用開口部１ａに小窓ユニット３を設け、この小窓ユニット３は枠体３ａにガラス３ｂを装着したもので、その枠体３ａに一側飾り窓４、他側飾り窓５を第１・第２固着具６，７でそれぞれ固着して小窓２とした小窓付きドアで、小窓ユニット３を設けると共に、その枠体３ａと一側・他側飾り窓４，５を固着する簡単な作業で小窓２を形成できるし、ガラス３ｂが枠体３ａで支持されているから、ガラス３ｂをしっかり安定して取付けできる。【選択図】      図３
2004270180.tif 000002
【特許請求の範囲】
【請求項１】
ドア本体の小窓用開口部に設けた小窓ユニットと、ドア本体の一側に設けた一側飾り窓と、ドア本体の他側に設けた他側飾り窓を備え、
前記小窓ユニットは枠体内にガラスを装着したもので、
前記一側飾り窓は枠体の一側部に第１固着具で固着されて窓開口がガラスと対向し、
前記他側飾り窓は枠体の他側部に第２固着具で固着されて窓開口がガラスと対向していることを特徴とする小窓付きドア。
【請求項２】
ドア本体の小窓用開口部に設けた小窓ユニットと、ドア本体の一側に設けた一側飾り窓と、ドア本体の他側に設けた他側飾り窓を備え、
前記小窓ユニットは、ガラス装着部を有する複数の枠材を連結した多角形状の枠体と、その各枠材のガラス装着部に装着したガラスを有し、
前記一側飾り窓は枠体の一側部に第１固着具で固着されて窓開口がガラスと対向し、
前記他側飾り窓は枠体の他側部に第２固着具で固着されて窓開口がガラスと対向していることを特徴とする小窓付きドア。
【請求項３】
枠体はドア本体の一側面に接した一側外側張出部を有し、この枠体の他側部に拘束金具が固着され、その拘束金具がドア本体１の他側面に接して枠体がドア本体に固定されている請求項１又は２記載の小窓付きドア。
【発明の詳細な説明】
【０００１】
【発明の属する技術分野】
本発明は、ドア本体に小窓を設けた小窓付きドアに関する。
【０００２】
【従来の技術】
特許文献１に小窓付きドアが開示されている。
この小窓付きドアは、ドア本体の開口部にガラスを設け、その開口部を表面材と裏側表面材で被覆し、その表面材と裏側表面材に小開口部を形成して小窓としたものである。
【０００３】
【特許文献１】
特許第３３３１０００号公報
【０００４】
【発明が解決しようとする課題】
前述した従来の小窓付きドアは、表面材と裏側表面材をビスで連結することで表面材と裏側表面材がドア本体に取付けられ、この表面材と裏側表面材との間にガラスが設けられ、このガラスは表面材と裏側表面材とで挟持してドア本体に取付けている。
このために、ドア本体に表面材を設けた後にドア本体の開口部からガラスを表面材内に押し込み、その後に裏側表面材をドア本体に設け、ビスを螺合して表面材と裏側表面材を連結して小窓としているから、小窓を形成する作業が面倒である。
しかも、ガラスは表面材と裏側表面材とで挟持しているだけであるから、そのガラスが不安定で、ドア開閉時の振動などによりガラスががたつくことがある。
【０００５】
本発明は、前述の課題に鑑みなされたものであって、その目的は、小窓を簡単な作業で形成できると共に、ガラスをしっかりと安定して取付けできるようにした小窓付きドアを提供することである。
【０００６】
【課題を解決するための手段】
第１の発明は、ドア本体１の小窓用開口部１ａに設けた小窓ユニット３と、ドア本体１の一側に設けた一側飾り窓４と、ドア本体１の他側に設けた他側飾り窓５を備え、
前記小窓ユニット３は枠体３ａ内にガラス３ｂを装着したもので、
前記一側飾り窓４は枠体３ａの一側部に第１固着具６で固着されて窓開口４ａがガラス３ｂと対向し、
前記他側飾り窓５は枠体３ａの他側部に第２固着具７で固着されて窓開口５ａがガラス３ｂと対向していることを特徴とする小窓付きドアである。
【０００７】
第２の発明は、ドア本体１の小窓用開口部１ａに設けた小窓ユニット３と、ドア本体１の一側に設けた一側飾り窓４と、ドア本体１の他側に設けた他側飾り窓５を備え、
前記小窓ユニット３は、ガラス装着部２６を有する複数の枠材２０を連結した多角形状の枠体３ａと、その各枠材２０のガラス装着部２６に装着したガラス３ｂを有し、
前記一側飾り窓４は枠体３ａの一側部に第１固着具６で固着されて窓開口４ａがガラス３ｂと対向し、
前記他側飾り窓５は枠体３ａの他側部に第２固着具７で固着されて窓開口５ａがガラス３ｂと対向していることを特徴とする小窓付きドアである。
【０００８】
第３の発明は、第１又は第２の発明において枠体３ａはドア本体１の一側面１ｂに接した一側外側張出部を有し、この枠体３ａの他側部に拘束金具９が固着され、その拘束金具９がドア本体１の他側面１ｃに接して枠体３ａがドア本体１に固定されている小窓付きドアである。
【０００９】
【作  用】
第１の発明によれば、組立した小窓ユニット３を小窓用開口部１ａに設け、その小窓ユニット３の枠体３ａと一側飾り窓４、他側飾り窓５を第１・第２固着具６，７でそれぞれ固着することで小窓を形成できる。
また、ガラス３ｂは枠体３ａに装着されていると共に、その枠体３ａと一側飾り窓４、他側飾り窓５が固着されているので、ガラス３ｂをしっかりと安定して取付けできる。
【００１０】
第２の発明によれば、第１の発明と同様の作用を奏する。また複数の枠材２０を連結して多角形状の枠体３ａとしているので、その枠材２０がガラス装着部２６を有する断面形状であっても径の小さな枠体３ａを製作できる。
【００１１】
第３の発明によれば、不燃材料に特定されず、任意の材質、例えば成形性の良い樹脂製の一側飾り窓４、他側飾り窓５を用いて住宅防火戸の規定を満足する小窓付きドアとすることができる。
【００１２】
【発明の実施の形態】
図１と図２に示すように、ドア本体１に小窓２を形成して小窓付きドアとしてある。
前記小窓２はドア本体１の小窓用開口部１ａ内に設けた小窓ユニット３と、ドア本体１の表側と裏側の一方側に設けた一側飾り窓４と、ドア本体１の表側と裏側の他方側に設けた他側飾り窓５で形成される。
この実施の形態では表側と裏側の一方側が室外側で、表側と裏側の他方側が室内側であるが、これに限ることはなく、例えば一方側が室外側で他方側が室内側であっても良い。
【００１３】
前記ドア本体１は図３に示すように一側表面板１０と他側表面板１１との間に芯材１２が設けてあり、その周囲に図１、図２に示すように上横材１３、下横材１４、左右の縦材１５が取付けてある。ドア本体１には把手１６、ヒンジ１７が取付けてある。これに限ることはなく、例えばドア本体１は木製一体であっても良い。
【００１４】
前記小窓ユニット３は図３に示すように、枠体３ａ内にガラス３ｂを装着したもので、その枠体３ａがドア本体１の小窓用開口部１ａ内に挿入して設けられる。
前記一側飾り窓４は枠体３ａの一側部に第１固着具６で固着して取付けられ、小窓用開口部１ａ、枠体３ａの一側部分を被覆して窓開口４ａからガラス３ｂのみが見えるようにしてある。つまり、窓開口４ａがガラス３ｂと対向する。
前記他側飾り窓５は枠体３ａの他側部に第２固着具７で固着して取付けられ、小窓用開口部１ａ、枠体３ａの他側部分を被覆して窓開口部５ａからガラス３ｂのみが見えるようにしてある。つまり、窓開口５ａがガラス３ｂと対向している。このガラス３ｂとしては単板ガラス、合わせガラス、網入りガラスなどである。
【００１５】
このようであるから、あらかじめ枠体３ａにガラス３ｂを装着して組み立てた小窓ユニット３を小窓用開口部１ａ内に挿入し、一側飾り窓４、他側飾り窓５を第１・第２固着具６，７で枠体３ａに固着することで小窓を形成でき、その作業が簡単である。
また、ガラス３ｂは枠体３ａ内に装着され、その枠体３ａが一側飾り窓４、他側飾り窓５に固着されているので、そのガラス３ｂはしっかりと取付けられ、振動などでがたつくことがない。
【００１６】
この実施の形態では、枠体３ａの一側外側張出部がドア本体１の一側面１ｂ（一側板１０）に当接し、枠体３ａの他側部に第３固着具８で固着した拘束金具９がドア本体１の他側面１ｃ（他側板１１）に接して枠体３ａをドア本体１に取付けてある。この拘束金具９は他側飾り窓５で被覆され、他側から見えない。
このようにすることで、住宅防火戸の規定を満足することが可能である。
例えば、一側飾り窓４、他側飾り窓５を鋳物又はダイカスト製とし、枠体３ａを金属製、例えばアルミ製で、拘束金具９を金属製、例えばステンレス製とすると共にそのかかり代Ｓを３ｍｍ以上とし、一側表面板１０、他側表面板１１を金属板、例えばアルミ板とすることで、住宅防火戸の規定を満足することができる。この場合にはガラス３ｂとして網入りガラスを用いる。
つまり、住宅防火戸の規定では不燃材料製品のみで窓部を構成することができないので、前述のようにして住宅防火戸とする。
【００１７】
次に、前記小窓ユニット３の具体形状を説明する。
前記枠体３ａは図４に示すように、ガラス装着部を有する枠材２０を六角形状に連結したものである。これによって、アルミ押出材の枠材２０を用いてほぼ円形で、小径の枠体３ａを製作できる。
つまり、ガラス装着部を有するアルミ押出材の枠材を曲げ成形して枠体とする場合には、その枠材の断面形状等によって径に制約が生じ、小径の枠体を製作できない。
前記枠材２０は図３と図５に示すように基板２１と、この基板２１に一体的に設けた一側内向片２２、一対の中間内向片２３、他側内向片２４と、一側外向片２５を有し、その一側内向片２２が一側取付部、他側内向片２４が他側取付部、一側外向片２５が一側外側張出部で、一対の中間内向片２３間がガラス装着部２６である。
前記ガラス３ｂは六角形で、その各辺部が前記各枠材２０のガラス装着部２６にガスケット２７を介して装着される。このガスケット２７は断面ほぼＵ字形状で、各枠材２０のガラス装着部２６にあらかじめ装着される。
【００１８】
前記枠材２０の両端面２０ａは３０度に傾けて切断加工され、連結金具２８を介して突き合わせ連結することで六角形の枠体３ａとしている。
前記連結金具２８は６０度に折曲したプレートで、枠材２０の一側内向片２２の内面に固着具２９、例えばトラスタッピンねじで固着される。つまり、前記一側内向片２２の長手方向両端寄りに孔２２ａが形成してある。
前記小窓ユニット３は次のようにして組み立てることが好ましいが、これに限ることはない。
図６に示すように、３つの枠材２０をそれぞれ連結する。一方の３つの枠材２０にガラス３ｂの３つの辺部を押し込み、他方の３つの枠材２０をガラス３ｂの残りの３つの辺部に押し込み、対向した枠材２０を連結金具２８で連結して六角形の小窓ユニット３とする。
なお、小窓ユニット３は六角形に限ることはなく、四角形、五角形、八角形など多角形であれば良い。
【００１９】
前記ドア本体１の小窓用開口部１ａは図４に示すように枠体３ａの外周形状と同一形状、この実施の形態では六角形である。
前記小窓ユニット３はドア本体１の一側方から小窓用開口部１ａ内に挿入され、図３に示すように一側外向片２５がドア本体１の一側面１ｂに当接し、他側内向片２４がドア本体１の他側面１ｃと略面一となる。
なお、一側外向片２５とドア本体１の一側面１ｂとの間にシール材２５ａを設けても良い。
【００２０】
前記一側飾り窓４は図３と図４に示すように、穴付きの円板３０と、その円板３０の外周縁に設けた外側筒３１、円板３０の穴の周縁に設けた内側筒３２を備え、その内側筒３２が窓開口４ａである。前記円板３０の内側筒３２寄りに複数、例えば３つの透孔３３が形成してある。この実施の形態では透孔３３を形成した部分が厚肉となって突部３４としてあり、この突部３４が枠体３ａの一側面（枠材２０の一側内向片２２）に当接するようにしてある。
前記内側筒３２は外側筒３１よりも長く、外側筒３１の端面３１ａがドア本体１の一側面１ｂに当接すると内側筒３２が小窓用開口部１ａ内に突出するようにしてある。
【００２１】
前記一側飾り窓４は、前述のようにしてドア本体１の小窓用開口部１ａ内に挿入した後に前記透孔３３から第１固着具６、例えばトラスタッピンねじを挿通して前記一側内向片２２に螺合して取付けられる。つまり、前記一側内向片２２には図５に示すように長手方向中間部に固定用孔２２ｂが形成してある。
この実施の形態では、３つの透孔３３が１２０度間隔で形成され、真上と左右に第１固着具６が位置するようにしても取付けられる。
【００２２】
前記他側飾り窓５は図３と図４に示すように、前記一側飾り窓４と同様に、円板４０、外側筒４１、内側筒４２、透孔４３、突起４４を有する形状で、一側飾り窓４と同様に第２固着具７、例えばトラスタッピンネジを透孔４３から他側内向片２４に螺合して取付けられる。
つまり、前記他側内向片２４に図５に示すように長手方向中間部に固着用孔２４ａが形成してある。
【００２３】
前記拘束金具９は図４と図７に示すように６つの拘束プレート５０を備え、この各拘束プレート５０が６つの枠材２０の他側内向片２４に第３固着具８、例えばトラスタッピンねじでそれぞれ固着される。
この各拘束プレート５０の長手方向中間部に内側に開口した切欠部５１が形成され、前記他側飾り窓５の突起４４と干渉しないようにしてある。なお、図７は図３に対して縮小して図示してある。
【００２４】
つまり、拘束プレート５０の両端面は３０度に切断加工されて枠材２０と同一長さで、その長手方向両側部に孔５２が形成してあり、この各孔５２より第３固着具８を他側内向片２４の長手方向両側部に形成した孔２４ｂに螺合して固着される。
そして、他側飾り窓５を前述のように取付けると、その突起４４が拘束プレート５０の切欠部５１に合致して干渉しないと共に、第３固着具８は突起４４と離れた位置で、その頭部が円板４０と対向して干渉しない。
【００２５】
前述の実施の形態では一側飾り窓４、他側飾り窓５を外周形状を円形で、窓開口４ａ，５ａも円形としたが、これに限ることはなく、外周形状を多角形で、窓開口４ａ，５ａを多角形とすることができるし、外周形状と窓開口４ａ，５ａの形状を異ならせることもできる。
つまり、任意の外観形状の小窓とすることができる。
【００２６】
前述の実施の形態では拘束金具９を取付けて住宅防火戸の規定を満足するようにしているが、通常の住宅戸の場合はこの拘束金具９を用いなくとも良いが、その場合には一側飾り窓４の外側筒３１の端面３１ａ、他側飾り窓５の外側筒４１の端面４１ａをドア本体１の一側面１ｂ、他側面１ｃに押しつけるようにして取付ける。
また、拘束金具９を用いて枠体３ａをドア本体１に固定した場合には、前記外側筒３１，４１の端面３１ａ，４１ａがドア本体１の一側面１ｂ、他側面１ｃと離れていても良い。
【００２７】
前記枠体３ａがアルミなどの金属製の場合に、その枠体３ａに結露が発生することがあるので、一側飾り窓４の外側筒３１の下部及び他側飾り窓５の外側筒４１の下部、真下の枠材２０の一側内向片２２に排水用切欠部３１ｂ，４１ｂ，２２ｃをそれぞれ形成し、前述の結露水を排水できるようにしてある。
また、ドア本体１の小窓用開口部１ａはテーパ形状で、結露水が一側から他側に向けて流れ易くしてある。
【００２８】
【発明の効果】
請求項１に係る発明によれば、組立した小窓ユニットを小窓用開口部に設け、その小窓ユニットの枠体と一側飾り窓、他側飾り窓を第１・第２固着具でそれぞれ固着することで小窓を形成できる。
よって、小窓を簡単な作業で形成できる。
また、ガラスは枠体に装着されていると共に、その枠体と一側飾り窓、他側飾り窓が固着されているので、ガラスをしっかりと安定して取付けできる。
よって、ドア開閉時の振動などでガラスががたつくことがない。
【００２９】
請求項２に係る発明によれば、請求項１に係る発明と同様の効果を奏する。また複数の枠材を連結して多角形状の枠体としているので、その枠材がガラス装着部を有する断面形状であっても径の小さな枠体を製作できる。
よって、枠体にガラスを装着した小窓ユニットを用いて径の小さな小窓とすることができる。
【００３０】
請求項３に係る発明によれば、不燃材料に特定さず、任意の材質、例えば成形性の良い樹脂製の一側飾り窓、他側飾り窓を用いて住宅防火戸の規定を満足する小窓付きドアとすることができる。
【図面の簡単な説明】
【図１】小窓付きドアの外観図である。
【図２】小窓付きドアの内観図である。
【図３】図１のＡ−Ａ拡大断面図である。
【図４】小窓部分の分解斜視図である。
【図５】枠材の斜視図である。
【図６】小窓ユニットの組立説明図である。
【図７】図３のＢ−Ｂ断面図である。
【符号の説明】
１…ドア本体、１ａ…小窓用開口部、１ｂ…一側面、１ｃ…他側面、２…小窓、３…小窓ユニット、３ａ…枠体、３ｂ…ガラス、４…一側飾り窓、４ａ…窓開口、５…他側飾り窓、５ａ…窓開口、６…第１固着具、７…第２固着具、８…第３固着具、９…拘束金具、２０…枠材、２５…一側外向片（一側外側張出部）、２６…ガラス装着部。
【図１】
2004270180.tif 000003
【図２】
2004270180.tif 000004
【図３】
2004270180.tif 000005
【図４】
2004270180.tif 000006
【図５】
2004270180.tif 000007
【図６】
2004270180.tif 000008
【図７】
2004270180.tif 000009